(57)【特許請求の範囲】
【請求項１】
前面側に開閉及び取外し可能に装着された長方形状の前面意匠パネルユニットを有し、
該前面意匠パネルユニットを、
不透明な素材からなり、下部の長手方向の背面側に凹んだ凹部及び該凹部の下部から下方に延設された延設部を有し、正面に表示窓が設けられた前面パネルと、
透明な素材からなり、下部の長手方向の背面側に前記前面パネルの凹部に挿入されるフランジを有し、前記前面パネルの前面側に装着される意匠パネルと、
前記前面パネルより赤外線透過性に優れた不透明な素材からなり、前記意匠パネルの下部において前記前面パネルの前面側に装着される下部意匠パネルとによって構成し、
前記前面パネルの凹部と前記下部意匠パネルとにより前記意匠パネルのフランジを挟持したことを特徴とする空気調和機の室内機。
【請求項２】
前面側に開閉及び取外し可能に装着された長方形状の前面意匠パネルユニットを有し、
該前面意匠パネルユニットを、
不透明な樹脂材料からなり、下部の長手方向の背面側に凹んだ凹部及び該凹部の下部が下方に延設された延設部を有し、前記凹部及び延設部の先端部の長手方向に複数の固定穴が設けられ、上縁部の長手方向に複数の係合突起が設けられて、正面下部に表示窓が設けられた前面パネルと、
透明な樹脂材料からなり、下部の長手方向の背面側に前記前面パネルの凹部に挿入されるフランジを有し、該フランジに前記前面パネルの凹部に設けた固定穴に対応して切欠き部が設けられ、上縁部に前記前面パネルの係合突起に嵌合する固定穴が設けられて、前記前面パネルの前面側に取付けられる意匠パネルと、
前記前面パネルより赤外線透過性に優れた不透明な樹脂材料からなり、上縁部及び下縁部に前記前面パネルの凹部及び延設部の固定穴に係止する係止爪が設けられて、前記前面パネルの凹部及び延設部の前面側に取付けられる下部意匠パネルと、によって構成したことを特徴とする空気調和機の室内機。
【請求項３】
前記前面パネルの凹部に設けた固定穴の背面側の周囲又はその一部に、該固定穴に係止した前記下部意匠パネルの係止爪の突出長より高い突部を設けたことを特徴とする請求項２に記載の空気調和機の室内機。
【請求項４】
前記前面パネルの表示窓の前面側と前記意匠パネルとの間に透過シートを配設したことを特徴とする請求項１〜３のいずれか一項に記載の空気調和機の室内機。
【請求項５】
前記前面パネルの凹部の下部の延設部に透過窓を設け、該透過窓の背面側にリモコン送受信部を配設し、前記透過窓の前面側に前記下部意匠パネルを装着したことを特徴とする請求項１〜４のいずれか一項に記載の空気調和機の室内機。
【発明の詳細な説明】
【技術分野】
【０００１】
本発明は、空気調和機の室内機に係り、より詳しくは、不透明な前面パネル、透明な意匠パネル及び赤外線透過性に優れた不透明な下部意匠パネルからなる前面意匠パネルユニットを備えた空気調和機の室内機に関するものである。
【背景技術】
【０００２】
従来の空気調和機の室内機に、前面パネルの上側と下側の外周壁にそれぞれ貫通して設けられた固定孔に、取付板の上側と下側の外壁の外面からそれぞれ突出する挿入突起を挿入し、外壁の先端がそれぞれ対向する外周壁の先端より低い位置となって、上側と下側の外壁の外面をそれぞれ対向する上側と下側の外周壁の内面と接触又は近接させ、取付板を前面パネル（本発明の意匠パネルに相当）の背面に固定し、前面パネル体を構成したものがある（例えば、特許文献１参照）。
【先行技術文献】
【特許文献】
【０００３】
【特許文献１】特開２００９−７４７７８号公報（第７−１１頁、図３−５）
【発明の概要】
【発明が解決しようとする課題】
【０００４】
特許文献１の室内機に設けた前面パネル体においては、前面パネルの下側の固定孔とこれに挿入した取付板の下側の挿入突起が外部から見えるため、意匠性を損なうという問題点があった。
また、前面パネル体の背面側にリモコン送受信部を配置した場合、透明な樹脂材料からなる前面パネルだと赤外線は透過するが、リモコン送受信部が見えてしまうので、意匠的に好ましくない。
【０００５】
リモコン送受信部の内部を見えなくするためには、透明な前面パネルの裏面に塗装し、あるいは印刷するなどの方法があるが、このようにすると、赤外線の透過性が悪化する。そこで、このような場合には、リモコンから発信する赤外線信号を透過し易くするために、リモコン送受信部の前面側の前面パネルを切り欠き、赤外線信号を透過し易い別部品を切欠き部に設置する必要がある。しかし、このようにすると、前面パネルと別部品との間に見た目に差が出て意匠性を損なうことになる。
【０００６】
本発明は、上記の課題の少なくとも一つを解決するためになされたもので、意匠パネルと前面パネルとの嵌合部が外部から見えることがなく、また、意匠パネルのリモコン送受信部の前面側を切除して別部品を配置することのない、意匠性に優れた前面意匠パネルユニットを備えた空気調和機の室内機を提供することを目的とするものである。
【課題を解決するための手段】
【０００７】
本発明に係る空気調和機の室内機は、室内機の前面側に開閉及び取外し可能に装着された長方形状の前面意匠パネルユニットを有し、
該前面意匠パネルユニットを、
不透明な素材からなり、下部の長手方向の背面側に凹んだ凹部及び該凹部の下部から下方に延設された延設部を有し、正面に表示窓が設けられた前面パネルと、
透明な素材からなり、下部の長手方向の背面側に前記前面パネルの凹部に挿入されるフランジを有し、前記前面パネルの前面側に装着される意匠パネルと、
前記前面パネルより赤外線透過性に優れた不透明な素材からなり、前記意匠パネルの下部において前記前面パネルの前面側に装着される下部意匠パネルとによって構成し、
前記前面パネルの凹部と前記下部意匠パネルとにより前記意匠パネルのフランジを挟持したものである。
【発明の効果】
【０００８】
本発明によれば、前面パネルは不透明な素材で形成され、その下部に赤外線透過性能に優れた不透明な下部意匠パネルと嵌合したので、嵌合部などが外部から見えることがない。また、下部意匠パネルの背面側にリモコン送受信部を配置する場合でも、意匠パネルのリモコン送受信部の前面側の部分を切除して別部品を設ける必要がなく、意匠的に統一された前面意匠パネルユニットを備えた空気調和機の室内機を得ることができる。
【図面の簡単な説明】
【０００９】
【図１】本発明の一実施の形態に係る空気調和機の室内機の縦断面図である。
【図２】図１の分解斜視図である。
【図３】図１の前面意匠パネルユニットの分解斜視図である。
【図４】図３の拡大正面図である。
【図５】図１の前面意匠パネルユニットの組立手順の説明図である。
【図６】図１の前面意匠パネルユニットの組立手順の説明図である。
【図７】図１の前面意匠パネルユニットの組立手順の説明図である。
【図８】図１の前面意匠パネルユニットの組立手順の説明図である。
【図９】図１の前面意匠パネルユニットの下部意匠パネル及びその近傍の説明図である。
【図１０】図８の前面パネルの凹部の他の側の説明図である。
【発明を実施するための形態】
【００１０】
図１は本発明の一実施の形態に係る空気調和機の室内機の縦断面図、図２は図１の分解斜視図である。室内機１において、２は背面側に位置する基台、３は左右に側壁を有し、基台２の前面側に配置されて基台２に固定された前面枠である。基台２の前面側には基台２に回転自在に支持された送風ファン４が設けられており、送風ファン４の上面及び前面側には熱交換器５が配置されている。
【００１１】
６は上面に格子状の吸込み口７を有し、前面枠３の上面から前面にかけて設置されたフィルタ自動清掃ユニットで、吸込み口７の下流側（熱交換器５との間）にはフィルタ８が配設されている。９はフィルタ自動清掃ユニット６の前面側下部に設けたダストボックスである。１０はフラップを有し、熱交換器５の下部に設置されたドレンパンユニットである。
【００１２】
１１は発光ダイオードの如き発光素子等が搭載された表示基板（図示せず）を有し、ダストボックス９の下部に設けられて、室内の温度などの情報や空気調和機の運転状況などを表示する表示装置、１２は制御部などが設けられて基台２に取付けられる電気品箱である。２０は前面枠３の前面側に開閉、取り外し可能に設けられた前面意匠パネルユニットである。
【００１３】
次に、前面意匠パネルユニット２０について詳述する。
前面意匠パネルユニット２０は、図３〜図５に示すように、前面パネル２１、意匠パネル２２及び下部意匠パネル２３からなっている。
前面パネル２１は、不透明な樹脂材料の如き素材によって長方形かつ緩やかな円弧状に形成され、表示装置１１に対応する位置（例えば、長手方向の中央部付近）には表示窓２１ａ（図５参照）が設けられている。また、下部には長手方向に沿って背面側に凹んだ断面ほぼ三角形状の凹部２１ｂが設けられ、その下部は斜め下方に延設されて延設部２１ｃが形成されており（図７参照）、この延設部２１ｃには赤外線の透過窓２１ｇが設けられている（図９参照）。
【００１４】
そして、凹部２１ｂの底面には、長手方向に複数の固定穴２１ｄが設けられており、また、上縁部の長手方向には壁面から突出した複数の係合突起２１ｆが設けられている。なお、図示してないが、凹部２１ｂの延設部２１ｃの先端部近傍にも、固定穴２１ｄと同様に固定穴２１ｅが設けられている（図８参照）。
【００１５】
意匠パネル２２は透明な樹脂材料の如き素材により前面パネル２１とほぼ同じ形状に形成されており、下端部の背面側には長手方向に沿って先端部が下方に折曲げられ、前面パネル２１の凹部２１ｂの上面に当接するフランジ２２ａが設けられている。そして、このフランジ２２ａの先端部には、前面パネル２１の固定穴２１ｄに対応して切欠き部２２ｂが設けられており、また、上縁部には前面パネル２１の係合突起２１ｆに対応して固定穴２２ｃが設けられている。
【００１６】
下部意匠パネル２３は前面パネル２１より赤外線透過性に優れた不透明な樹脂材料の如き素材で形成され、上縁部の背面側には前面パネル２１の固定穴２１ｄに対応して係止爪２３ａが設けられており、また、図示してないが、下縁部の背面側にも前面パネル２１の固定穴２１ｅに対応して係止爪２３ｂが設けられている（図８参照）。なお、図５において、２４は前面パネル２１の表示窓２１ａの前面側と意匠パネル２２との間に配設された透過シートで、例えば、透明な樹脂材料からなるシートに、塗装、印刷などを施して、光の透過が可能な色に着色されている。
【００１７】
次に、上記のような前面意匠パネルユニット２０の組立手順の一例について説明する。
先ず、図５に示すように、前面パネル２１の表示窓２１ａの前面側に透過シート２４を配設し、その前面側に透過シート２４を挟んで意匠パネル２２を当接する。そして、図６に示すように、意匠パネル２２の上縁部に設けた固定穴２２ｃを前面パネル２１の上部に設けた係合突起２１ｆに係合し、また、下部に設けたフランジ２２ａを前面パネル２１の凹部２１ｂの上面に当接させる（図７参照）。このとき、意匠パネル２２のフランジ２２ａに設けた切欠き部２２ｂは、前面パネル２１の固定穴２１ｄと整合する。
【００１８】
次に、図７に示すように、下部意匠パネル２３を、意匠パネル２２のフランジ２２ａの下面と前面パネル２１の延設部２１ｃの先端部の下面とに当接させる。そして、図８に示すように、その上部の係止爪２３ａを意匠パネル２２の切欠き部２２ｂを介して前面パネル２１の凹部２１ｂに設けた固定穴２１ｄに挿入して係止させ、また、下部の係止爪２３ｂを前面パネル２１の延設部２１ｃに設けた固定穴２１ｅに挿入して係止させる。
【００１９】
このとき、意匠パネル２２のフランジ２２ａは、前面パネル２１の凹部２１ｂの上面と下部意匠パネル２３の係止爪２３ａとの間に挟持され、固定される。これにより、前面意匠パネルユニット２０の組立が終了する。なお、図５では、前面パネル２１の表示窓２１ａと意匠パネル２２との間に透過シート２４を配置した場合を示したが、透過シート２４は省略してもよい。
【００２０】
また、前面パネル２１の凹部２１ｂの下部に形成された延設部２１ｃには、図９に示すように赤外線信号の透過窓２１ｇが設けられており、この透過窓２１ｇの背面側（内側）には、基板に搭載されリモコンからの赤外線信号を受信して電気信号に変換し、制御部へ送信する赤外線センサの如きリモコン送受信部１５が設けられている。
【００２１】
前述のように、下部意匠パネル２３は前面パネル２１より赤外線透過性に優れた不透明な素材で形成されているので、リモコンからの赤外線信号を確実に透過することができる。なお、図示のように、下部意匠パネル２３の透過窓２１ｇに対応する部分を薄肉部２３ｃに形成することにより、より効果的に赤外線信号を透過させることができる。
【００２２】
また、図１０に示すように、前面パネル２１の凹部２１ｂに設けた固定穴２１ｄの背面側（内側）に、下部意匠パネル２３の係止爪２３ａを固定穴２１ｄに挿入して係止させたときの突出長より高く、上面が開口したほぼＵ字状の突部２１ｈを設け、使用者が下部意匠パネル２３の係止爪２３ａに直接触れないようにしてもよい。
【００２３】
使用者が前面意匠パネルユニット２０を分解してしまうと、再組立が面倒であるばかりでなく、前面パネル２１と意匠パネル２２との間に塵埃や汚れなどが付着して意匠性を損うことがある。そこで、このように固定穴２１ｄの周囲に突部２１ｈを設けることにより、使用者が前面意匠パネルユニット２０を清掃する際に、誤って係止爪２３ａを固定穴２１ｄから外したり、簡単に分解したりすることができないようにしたものである。
【００２４】
上記の説明では、突部２１ｈを固定穴２１ｄの左右及び下部を覆うようにほぼＵ字状に設けた場合を示したが、突部２１ｈは固定穴２１ｄの全周に設けてもよく、あるいは上部若しくは下部のみ、又は左右のみに設けるなど、使用者が係止爪２３ａに触れない位置に設ければよい。
【００２５】
上記のように構成した室内機１において、リモコンからの赤外線信号を受信したリモコン送受信部１５（赤外線センサ）は、その信号を電気信号に変換して制御部に送ることにより送風ファン４が駆動され、運転を開始する。これにより、上面に設けた吸込み口７から室内空気が吸い込まれ、フィルタ８により塵埃等が捕集されて清浄化された空気は、熱交換器５により冷気又は暖気に空気調和され、吹出し口１３から室内に吹き出される。なお、１４は吹出し口１３に設けた風向板である。
【００２６】
このとき、表示装置１１は点灯され、そのときの室内の温度や室内機１の運転状況などが表示窓２１ａに表示され、透明な意匠パネル２２からこれを視認することができる。また、フィルタ８に付着した塵埃などはフィルタ自動清掃ユニット６により除去され、ダストボックス９内に蓄積される。
【００２７】
本発明によれば、前面意匠パネルユニット２０を、不透明な前面パネル２１、その前面側に設けた透明な意匠パネル２２、及び前面パネル２１より赤外線透過性能に優れた不透明な下部意匠パネル２３を前面パネル２１の下部に嵌合して構成したので、室内機１の下部の嵌合部が外部から見えることがない。
また、前面パネル２１の延設部２１ｃに赤外線信号の透過窓２１ｇを設けてその背面側にリモコン送受信部１５を配設し、延設部２１ｃの前面側に赤外線透過性能に優れた不透明な下部意匠パネル２３を装着したので、意匠パネル２２の一部を切除する必要がなく、全体として意匠的に統一された前面意匠パネルユニット２０を得ることができ、さらに、使用者は表示装置１１による表示を確実に視認することができる。
【００２８】
また、下部意匠パネル２３は前述のように赤外線透過性に優れた不透明な素材で形成されており、前面パネル２１の凹部２１ｂの延設部２１ｃには背面側に設けたリモコン送受信部１５に対応する部分のみに透過窓２１ｇを設けたので意匠性を損うことがなく、リモコン送受信部１５はリモコンからの赤外線信号を確実に受信することができる。
【００２９】
さらに、前面意匠パネルユニット２０には、下部意匠パネル２３の係止爪２３ａが挿入係止する固定穴２１ｄの背面側に突部２１ｈを設け、使用者が係止爪２３ａに触れたり簡単に分解したりできないような構造にすることにより、使用中又は使用者の分解などによって前面パネル２１と意匠パネル２２との間に塵埃などが侵入したり汚れが付着したりすることがないので、意匠性を損うことがない。
【符号の説明】
【００３０】
１  室内機、２  基台、３  前面枠、４  送風ファン、５  熱交換器、６  フィルタ自動清掃ユニット、７  吸込み口、８  フィルタ、９  ダストボックス、１０  ドレンパンユニット、１１  表示装置、１２  電気品箱、１３  吹出し口、１４  風向板、１５  リモコン送受信部（赤外線センサ）、２０  前面意匠パネルユニット、２１  前面パネル、２１ａ  表示窓、２１ｂ  凹部、２１ｃ  延設部、２１ｄ，２１ｅ  固定穴、２１ｆ  係合突起、２１ｇ  透過窓、２１ｈ  突部、２２  意匠パネル、２２ａ  フランジ、２２ｂ  切欠き部、２２ｃ  固定穴、２３  下部意匠パネル、２３ａ，２３ｂ  係止爪、２３ｃ  薄肉部、２４  透過シート。
【図１】
0005506754.tif 000002
【図２】
0005506754.tif 000003
【図３】
0005506754.tif 000004
【図４】
0005506754.tif 000005
【図５】
0005506754.tif 000006
【図６】
0005506754.tif 000007
【図７】
0005506754.tif 000008
【図８】
0005506754.tif 000009
【図９】
0005506754.tif 000010
【図１０】
0005506754.tif 000011